(57)【要約】 【課題】  構造を複雑化することなく、コイルの端部が不所望に解けることを防止し得るコイル構造、光学ピックアップ装置およびコイルの巻回方法を提供する。【解決手段】  コイルの端部を、該コイルのうち前記端部を除く部位で外装して前記コイルの端部をからげ、コイル構造を複雑化することなく、換言すればコイル構造を簡単化することができるとともに、前記コイルの端部が不所望に解けることを防止する。【選択図】      図１
2005332500.tif 000002
【特許請求の範囲】
【請求項１】
巻回されるべきコイルの端部をからげるためのコイル構造であって、
前記コイルの端部が、該コイルのうち前記端部を除く部位で外装されて成ることを特徴とするコイル構造。
【請求項２】
前記コイルの端部は、このコイルの一端部および他端部の少なくともいずれか１つを含むことを特徴とする請求項１に記載のコイル構造。
【請求項３】
前記コイルの端部を巻回する端子片をさらに備えることを特徴とする請求項１または２に記載のコイル構造。
【請求項４】
請求項１〜３のいずれか１つに記載のコイル構造を備える光学ピックアップ装置。
【請求項５】
巻回されるべきコイルの端部をからげるコイルの巻回方法であって、
前記コイルの端部を、該コイルの前記端部を除く部位で外装する外装工程を有することを特徴とするコイルの巻回方法。
【請求項６】
前記外装工程の後、前記コイルの端部を巻回した端子片をはんだ付けするはんだ付け工程をさらに有することを特徴とする請求項５に記載のコイルの巻回方法。
【発明の詳細な説明】
【技術分野】
【０００１】
本発明は、コイル構造、光学ピックアップ装置およびコイルの巻回方法に関し、たとえばピックアップアクチュエータコイルに適用される技術に関する。
【背景技術】
【０００２】
コンパクトディスク（略称ＣＤ：Compact Disk）およびデジタルバーサタイルディスク（略称ＤＶＤ：Digital Versatile Disk）などの記録媒体に対する情報の記録、再生、消去を行う光学ピックアップ装置が実用に供されている。また光学ピックアップ装置は、フォーカスエラー信号およびトラッキングエラー信号を生成する機能を有する。光学ピックアップ装置のうちレンズホルダには、対物レンズおよびアクチュエータコイルなどが設けられる（たとえば特許文献１参照）。
【０００３】
図５は、従来のコイル構造の端部要部を示す斜視図である。前記アクチュエータコイル１（単に、コイル１と称す）は、フォーカスエラー信号またはトラッキングエラー信号を生成するためのものである。このコイル１の始端および終端を含む端部２を、レンズホルダに付設される端子板３に巻回してからげた後、はんだ付けするようになっている。
【０００４】
【特許文献１】特開平７−２４４８６１号公報
【発明の開示】
【発明が解決しようとする課題】
【０００５】
従来のコイル構造では、コイル１の端部２を端子板３に単純に巻回してからげているだけなので、端子板３にからげたコイル１の端部２が浮き上がり、該コイル１の端部２が不所望に解ける。この状態で前述のはんだ付けを行うと、基板とショートするおそれもある。コイル１の端部２の浮き上がりを防止するための特別な部品を用意することも考えられるが、その分コイル構造が複雑化し、製作コストが高くなる。
【０００６】
本発明の目的は、構造を複雑化することなく、コイルの端部が不所望に解けることを防止することができるコイル構造、光学ピックアップ装置およびコイルの巻回方法を提供することである。
【課題を解決するための手段】
【０００７】
本発明は、巻回されるべきコイルの端部をからげるためのコイル構造であって、
前記コイルの端部が、該コイルのうち前記端部を除く部位で外装されて成ることを特徴とするコイル構造である。
【０００８】
本発明に従えば、コイル構造は、巻回されるコイルの端部をからげるための構造である。前記コイルの端部は、該コイルのうち前記端部を除く部位で外装されて成る。このようにコイルの端部をからげることができる。
【０００９】
また本発明は、前記コイルの端部は、このコイルの一端部および他端部の少なくともいずれか１つを含むことを特徴とする。
【００１０】
本発明に従えば、前記コイルの一端部を、該一端部を除く部位で外装することが可能となる。前記コイルの他端部を、該他端部を除く部位で外装することが可能となる。このようにコイルの一端部および他端部の少なくともいずれか１つを、特別な部品を用意することなくからげることができる。
【００１１】
また本発明は、前記コイルの端部を巻回する端子片をさらに備えることを特徴とする。
本発明に従えば、前記端子片には、前記コイルの端部が巻回される。これによって前記端子片とコイルの端部とを、電気的かつ機械的に接続することが可能となる。
【００１２】
また本発明は、請求項１〜３のいずれか１つに記載のコイル構造を備える光学ピックアップ装置である。
【００１３】
本発明に従えば、前記コイル構造を備える光学ピックアップ装置を実現することができる。つまり光学ピックアップ装置のフォーカスコイルまたはトラッキングコイルの端部を、前記端部を除く部位で外装してからげることができる。
【００１４】
また本発明は、巻回されるべきコイルの端部をからげるコイルの巻回方法であって、
前記コイルの端部を、該コイルの前記端部を除く部位で外装する外装工程を有することを特徴とするコイルの巻回方法である。
【００１５】
本発明に従えば、外装工程において、コイルの端部を、該コイルの前記端部を除く部位で外装する。このようにコイルの端部を、該コイル自体で外装して変位不可能に規制することで、前記コイルの端部が不所望に解けることを防止することができる。
【００１６】
また本発明は、前記外装工程の後、前記コイルの端部を巻回した端子片をはんだ付けするはんだ付け工程をさらに有することを特徴とする。
【００１７】
本発明に従えば、前記外装工程の後、はんだ付け工程において、前記コイルの端部を巻回した端子片をはんだ付けする。これによって前記端子片と前記コイルの端部とを、電気的かつ機械的に接続することができる。
【発明の効果】
【００１８】
本発明によれば、コイルの端部は、該コイルのうち前記端部を除く部位で外装されて成る。このようにコイルの端部をからげることができる。つまり本発明によれば、前記コイルの端部をからげるために、特別な部品を用意する必要がない。したがってコイル構造を複雑化することなく、換言すればコイル構造を簡単化することができるとともに、前記コイルの端部が不所望に解けることを防止することができる。
【００１９】
また本発明によれば、前記コイルの一端部を、該一端部を除く部位で外装することが可能となる。前記コイルの他端部を、該他端部を除く部位で外装することが可能となる。このようにコイルの一端部および他端部の少なくともいずれか１つを、特別な部品を用意することなくからげることができる。
【００２０】
また本発明によれば、前記端子片には、前記コイルの端部が巻回される。これによって前記端子片とコイルの端部とを、電気的かつ機械的に接続することが可能となる。
【００２１】
また本発明によれば、巻回されるべきコイルの端部をからげるためのコイル構造を備える光学ピックアップ装置を実現することができる。つまり光学ピックアップ装置のフォーカスコイルまたはトラッキングコイルの端部を、前記端部を除く部位で外装してからげることができる。このように光学ピックアップ装置のコイルの端部を、特別な部品を用意することなくからげることができるので、前記光学ピックアップ装置の製作コストの低減を図ることができる。
【００２２】
また本発明によれば、外装工程において、コイルの端部を、該コイルの前記端部を除く部位で外装する。このようにコイルの端部を、該コイル自体で外装して変位不可能に規制することで、前記コイルの端部が不所望に解けることを防止することができる。
【００２３】
また本発明によれば、外装工程の後、はんだ付け工程において、コイルの端部を巻回した端子片をはんだ付けする。これによって前記端子片と前記コイルの端部とを、電気的かつ機械的に接続することができる。
【発明を実施するための最良の形態】
【００２４】
図１は、本発明の実施形態に係る光学ピックアップ装置１０におけるコイル構造を示す斜視図である。光学ピックアップ装置１０は、光ピックアップ１０と同義である。本実施の形態は、たとえばコンパクトディスクまたはデジタルバーサタイルディスクなどの記録媒体に対する情報の記録、再生および消去の少なくともいずれか１つを行う光学ピックアップ装置に本発明のコイル構造を適用した場合の一例を示す。以下の説明は、コイルの巻回方法の説明をも含む。本発明のコイル構造およびコイルの巻回方法は、必ずしも光学ピックアップ装置だけに限定して適用されるものではなく、たとえばＤＣモータなどに適用可能である。
【００２５】
光ピックアップ１０は、主に、ハウジング、光源、対物レンズを含む光学部品、レンズホルダ１１、アクチュエータ、集積回路およびフレキシブル基板から構成される。前記ハウジングには、たとえば４本のワイヤばねを介してレンズホルダ１１が片持ち支持されている。このレンズホルダ１１において、その厚み方向に突設される台座１２に、図示外の対物レンズが装着される構成になっている。前記「厚み方向」を、矢符Ｌ１で表記する。
【００２６】
光ピックアップ１０は、フォーカスエラー信号およびトラッキングエラー信号を生成可能に構成されている。レンズホルダ１１には、フォーカスエラー信号を生成するためのフォーカスコイル１３が設けられるとともに、トラッキングエラー信号を生成するための一対のトラッキングコイル１４が設けられている。フォーカスコイル１３は、レンズホルダ１１の厚み方向中間付近の胴部まわりでかつ、前記厚み方向まわりに巻装されている。レンズホルダ１１に付設される後述の端子板１５には、フォーカスコイル１３の一端部および他端部が巻回されからげ処理されている。前記厚み方向まわりとは、レンズホルダ１１に装着される対物レンズの光軸まわりと同義である。前記端子板１５が、端子片に相当する。「からげ処理する」とは、「からげる」と同義である。
【００２７】
一対のトラッキングコイル１４は、レンズホルダ１１の台座１２の一側壁部１２ａおよび他側壁部１２ｂに、それぞれ近接して配設されている。レンズホルダ１１には、各トラッキングコイル１４が、前記光軸方向に垂直な方向でかつレンズホルダ１１の長手方向まわりに巻装されている。これら一対のトラッキングコイル１４は、対物レンズの光軸を含む仮想平面に対し、対象となる位置に配設されている。レンズホルダ１１に付設される端子板１５には、各トラッキングコイル１４の一端部および他端部が巻回されからげ処理されている。トラッキング１４の一端部および他端部と、フォーカスコイル１３の一端部および他端部とが、「コイルの端部」に相当する。フォーカスコイル１３およびトラッキングコイル１４を、単に「コイル」と称す場合がある。
【００２８】
図２は、コイルの端部Ｔをからげるためのコイル構造の要部を示す斜視図である。図１も参照しつつ説明する。フォーカスコイル１３の一端部、フォーカスコイル１３の他端部、各トラッキングコイル１４の一端部、および各トラッキングコイル１４の他端部は、同一のコイル構造を備えてからげ処理されている。つまりコイルの端部Ｔは、該コイルのうち前記端部Ｔを除く部位１６（外装部位１６と称す）で外装されて成る。コイルのたとえば初回の巻き始めの一端部を端子板１５に巻き付けて固着する際には、前記一端部の外周部分を、少なくとも前記初回以降の巻き付けるべき外装部位１６であって、前記一端部の外周部分に合致する（ラップする）外装部位１６で押さえるようになっている。コイルの一端部とは、コイルの先端部分Ｔ１からたとえば約０．７ｍｍまでの範囲と同義である。ただし前記コイルの一端部は、必ずしも前記範囲に限定されるものではない。
【００２９】
前記コイルのたとえば巻き終わりの他端部を端子板１５に巻き付けて固着する際には、巻き終わりの前記他端部を、少なくとも巻き終わり以前の巻回済みの外装部位１６であって、前記他端部に合致する（ラップする）外装部位１６と端子板１５との間に挿入する。このようにコイルの巻き終わりの他端部を、端子板１５に巻き付けて固着するようになっている。コイルの他端部とは、コイルの基端部分Ｔ２からたとえばたとえば約０．７ｍｍまでの範囲と同義である。ただし前記コイルの他端部は、必ずしも前記範囲に限定されるものではない。
【００３０】
図３は、コイルの巻回方法を段階的に示す斜視図であり、図３（ａ）は、コイルの一端部を端子板１５に配設した段階の斜視図、図３（ｂ）は、コイルを端子板１５の壁部に沿って一回巻回した段階の斜視図、図３（ｃ）は、コイルを端子板１５の壁部に沿って二回巻回した段階の斜視図である。図４は、コイルの巻回方法を段階的に示すフローチャートである。コイルをレンズホルダ１１に巻装する際には、先ず図３（ａ）に示すように、ステップｓ１において、コイルの一端部を、たとえば端子板１５の所定の壁部１５ａの一辺に略平行でかつこの端子板１５の高さ方向略中間付近に配設する。前記「略平行」は平行を含み、前記「高さ方向略中間付近」は高さ方向中間付近を含む。
【００３１】
次に図３（ｂ）に示すように、コイルを、端子板１５のうち前記壁部１５ａに隣接する壁部１５ｂに沿って配設する。つまりコイルの一端部を前述のように配設した状態で、端子板１５の角部１７でコイルを屈曲させ塑性変形させることで、前記隣接する壁部１５ｂに沿ってコイルを配設し得る。以下同様に、順次隣接する壁部１５ｃ，１５ｄに沿ってコイルを配設することで、コイルを端子板１５の壁部１５ａ〜１５ｄに沿って一回巻回する。このときコイルの一端部と、巻き付けるべきコイルとが、近接するけれども重ならないように位相差を設けて配設される。
【００３２】
次に図３（ｃ）に示すように、前記と同様に、順次隣接する壁部１５ａ〜１５ｄに沿ってコイルを配設することで、コイルを端子板１５の壁部１５ａ〜１５ｄに沿って巻回する。このとき巻回済みのコイルと、巻き付けるべきコイルとが、近接するけれども重ならないように位相差を設けて配設される。その後コイルの一端部の外周部分を、コイルの外装部位１６でもって端子板１５に押さえ付ける。このときコイルの一端部に対して、コイルの外装部位１６が傾斜角度α（αは、たとえば約３０度）を有するように配設されるので、外装部位１６で押さえうるコイルの一端部の接触面積を大きくすることができるうえ、該コイルを端子板１５に強固に巻回することが可能となる。ただし前記外装部位１６の傾斜角度αは、必ずしも約３０度に限定されるものではない。次に図２に示すように、コイルを、巻回済みのコイルの一端部と略平行に端子板１５の壁部１５ｂ，１５ｃ，１５ｄに沿って巻回する。その後レンズホルダ１１にコイルを巻装していく。
【００３３】
次にステップｓ２に移行し、コイルの他端部を、前記端子板１５とは異なる別の端子板１５に外装する。つまりレンズホルダ１１に巻装した後のコイルの残余部を、前記別の端子板１５の壁部に沿って順次配設していく。コイルの残余部は、コイルの他端部を含む。このときコイルの残余部を、たとえば前記別の端子板１５の所定の壁部の一辺に略平行でかつこの端子板の高さ方向略基端部付近に配設する。前記「略平行」は平行を含み、前記「高さ方向略基端部付近」は高さ方向基端部付近を含む。以下同様に、順次隣接する壁部に沿ってコイルの残余部を巻回し、その後、巻き付け済みのコイルの残余部に対して、巻き付けるべきコイルの残余部がたとえば約３０度の傾斜角度を有するように配設する。このようにコイルの残余部を、前記別の端子板１５に一回巻回する。ただし，前記傾斜角度は、必ずしも３０度に限定されるものではない。
【００３４】
次に、順次隣接する壁部に沿ってコイルの残余部を配設することで、コイルの残余部を前記別の端子板１５の壁部に沿って巻回する。このとき巻回すべきコイルの残余部を、巻回済みの傾斜角度を有する残余部の外装部位１６と、壁部との間に挿入する。その後、順次隣接する壁部に沿ってコイルの残余部を配設することで、コイルの他端部を前記別の端子板１５の壁部に沿って配設する。このとき巻回すべきコイルの他端部を、巻回済みの傾斜角度を有する残余部の外装部位１６と、壁部との間に挿入する。その後ステップｓ３に移行し端子板１５をはんだ付けする。これによって端子板１５とコイルの端部Ｔとを、電気的かつ機械的に接続することができる。ステップｓ１およびステップｓ２が外装工程に相当する。ステップｓ３がはんだ付け工程に相当する。
【００３５】
以上説明したコイル構造およびコイルの巻回方法によれば、コイルの端部Ｔは、該コイルのうち前記端部Ｔを除く外装部位１６で外装されて成る。このようにコイルの端部Ｔをからげることができる。つまり本実施形態に係るコイル構造によれば、前記コイルの端部Ｔをからげるために、特別な部品を用意する必要がない。したがってコイル構造を複雑化することなく、換言すればコイル構造を簡単化することができるとともに、前記コイルの端部Ｔが不所望に解けることを防止することができる。これによって光学ピックアップ装置１０の製作コストの低減を図ることができる。
【００３６】
前記コイルの端部Ｔは、このコイルの一端部および他端部を含む。それ故、前記コイルの一端部を、該一端部を除く外装部位１６で外装することが可能となるうえ、前記コイルの他端部を、該他端部を除く外装部位１６で外装することが可能となる。このようにコイルの一端部および他端部を、特別な部品を用意することなくからげることができる。また端子板１５を含む本コイル構造によれば、端子板１５にコイルの端部Ｔが巻回される。これによって前記端子板１５とコイルの端部Ｔとを、電気的かつ機械的に接続することが可能となる。
【００３７】
本実施形態においては、コイルの端部をからげるコイル構造を、光学ピックアップ装置に適用しているが、該光学ピックアップ装置だけに必ずしも限定されるものではない。コイルの一端部または他端部に、本コイル構造を適用してもよい。
【図面の簡単な説明】
【００３８】
【図１】本発明の実施形態に係る光学ピックアップ装置１０におけるコイル構造を示す斜視図である。
【図２】コイルの端部Ｔをからげるためのコイル構造の要部を示す斜視図である。
【図３】コイルの巻回方法を段階的に示す斜視図であり、図３（ａ）は、コイルの一端部を端子板１５に配設した段階の斜視図、図３（ｂ）は、コイルを端子板１５の壁部に沿って一回巻回した段階の斜視図、図３（ｃ）は、コイルを端子板１５の壁部に沿って二回巻回した段階の斜視図である。
【図４】コイルの巻回方法を段階的に示すフローチャートである。
【図５】従来のコイル構造の端部要部を示す斜視図である。
【符号の説明】
【００３９】
１０  光学ピックアップ装置
１３  フォーカスコイル
１４  トラッキングコイル
１５  端子板
１６  外装部位
Ｔ  端部
【図１】
2005332500.tif 000003
【図２】
2005332500.tif 000004
【図３】
2005332500.tif 000005
【図４】
2005332500.tif 000006
【図５】
2005332500.tif 000007